(57)【要約】【課題】ドアをキャビネットの上側に移動して開閉するとともに、ドアの開放時に洗濯物の置き台として活用することで、狭い場所に洗濯機が設置された場合もドアを容易に開放し、かつ、洗濯物も便利に出し入れすることで、使用者の便宜性が向上する上側開放型ドアを備えたドラム洗濯機を提供する。【解決手段】前面に洗濯物を出し入れするための開口部１１が形成されたキャビネット１０と;該キャビネット１０の前面に位置して前記開口部１１を開閉するドア３０と;前記キャビネット１０と前記ドア３０との間に連結され、前記ドア３０の開放時にドア３０の前面が上向きになるように、ドア３０を前記キャビネット１０の上側に移動させながら開放し、かつ、前記キャビネット１０の前面に移動させながら閉鎖するドア開閉機構４０と；を含んで上側開放型ドアを備えたドラム洗濯機を構成する。【選択図】図３
2006122677.tif 000002
【特許請求の範囲】
【請求項１】
前面に洗濯物を出し入れするための開口部が形成されたキャビネットと;
該キャビネットの前面に位置して前記開口部を開閉するドアと;
前記キャビネットとドアとの間に連結され、前記ドアの開放時にドアの前面が上向きになるように、ドアを前記キャビネットの上側に移動させながら開放し、かつ、前記キャビネットの前面に移動させながら閉鎖するドア開閉機構と；
を含むことを特徴とする上側開放型ドアを備えたドラム洗濯機。
【請求項２】
前記ドアは、その一部がドアの開放状態で洗濯物を収容する容器構造であることを特徴とする請求項１に記載の上側開放型ドアを備えたドラム洗濯機。
【請求項３】
前記ドアは、前記キャビネットの前面に位置するドアフレームと、該ドアフレームに備わり、前記キャビネットの開口部の内側に突出される容器状のドア窓と、を含むことを特徴とする請求項１に記載の上側開放型ドアを備えたドラム洗濯機。
【請求項４】
前記ドア開閉機構は、前記ドアの両側に二つのリンク部材が４-リンク方式で連結されることを特徴とする請求項１に記載の上側開放型ドアを備えたドラム洗濯機。
【請求項５】
前記ドア開閉機構は、前記ドアの側面及び前記キャビネットの上側に連結された第１リンク部材と、該第１リンク部材に連結されたドアの側面よりも相対的に高いドアの側面、及び前記第１リンク部材に連結されたキャビネットの上側よりも相対的に後側のキャビネットの上側に連結された第２リンク部材と、を含むことを特徴とする請求項４に記載の上側開放型ドアを備えたドラム洗濯機。
【請求項６】
前記キャビネットの上側には、前記第１及び第２リンク部材に連結されるリンクブラケットが備わることを特徴とする請求項５に記載の上側開放型ドアを備えたドラム洗濯機。
【請求項７】
前記キャビネットの前面及び上面には、前記リンク部材の移動経路として上下方向のスリットが形成されることを特徴とする請求項４に記載の上側開放型ドアを備えたドラム洗濯機。
【請求項８】
前記スリットには、異物質の流入を防止するための異物質流入防止部材が備わることを特徴とする請求項７に記載の上側開放型ドアを備えたドラム洗濯機。
【請求項９】
前記ドラム洗濯機は、前記ドア開閉機構を昇降させてドアを自動に開閉する自動開閉機構を含むことを特徴とする請求項１乃至８のいずれか１項に記載の上側開放型ドアを備えたドラム洗濯機。
【請求項１０】
前記ドア開閉機構は、前記ドアの両側に二つのリンク部材がそれぞれ連結されており、
前記自動開閉機構は、前記リンク開閉機構を回転するための前記電動モータを含むことを特徴とする請求項９に記載の上側開放型ドアを備えたドラム洗濯機。
【発明の詳細な説明】
【技術分野】
【０００１】
本発明は、ドラム洗濯機のドアに関するもので、詳しくは、ドアが上側に開放された状態で、ドアを洗濯物の置き台として活用できる上側開放型ドアを備えたドラム洗濯機に関するものである。
【背景技術】
【０００２】
従来のドラム洗濯機において、図１に示すように、キャビネット１の前面には、略水平方向に位置したタブ及びドラムの内部に連通される開口部３と、この開口部３を開閉するためのドア５と、が設置される。
【０００３】
前記ドア５は、その一側が前記キャビネット１の開口部３側にヒンジ機構７によって連結された状態で、他側に位置した取っ手を引っ張るか押して開閉する構造となっている。
【０００４】
前記ドア５には、円状のドア枠５ａ及びドア窓５ｂが備わる。このドア窓５ｂは、一般に、透明なガラス材料からなり、前記キャビネット１内に設置されるガスケット９に接触するように、洗濯機の内側に膨らんだ構造となっている。
【０００５】
しかしながら、従来のドラム洗濯機のドアは、側面方向の開閉方式で開放されるため、図２に示すように、洗濯機１が壁面Ｗに密着して設置された場合、ドア５が完全に開かなくなるという問題点があった。さらに、ドア５が完全に開かない場合、膨らんだドア窓５ｂが洗濯機の開口部３側に位置するようになり、使用者が洗濯物を出し入れするときに干渉が発生して不便であった。
【０００６】
また、洗濯の終了後、使用者が洗濯機から洗濯物を取り出すとき、洗濯物が絡み合った状態であるため、洗濯物を取り出す過程で洗濯物が底面に落ちることが多いが、この場合、洗濯を再び行うべきであるという問題点があった。
【０００７】
また、洗濯の終了後、洗濯機から洗濯物を取り出すとき、洗濯物を別途の容器に収容した状態で、他の洗濯物を取り出す行為を繰り返して行うが、この場合、洗濯物を収容しておく別途の容器が必要になり、洗濯物を取り出す過程で使用者が不便を感じるという問題点があった。
【発明の開示】
【発明が解決しようとする課題】
【０００８】
本発明は、上記の問題点を解決するためになされたもので、ドアをキャビネットの上側に移動して開閉するとともに、ドアの開放時、ドアを洗濯物の置き台として活用する構造となっており、狭い場所に洗濯機が設置された場合も、ドアを容易に開放し、かつ、洗濯物を便利に出し入れすることで、使用者の便宜性を向上できる上側開放型ドアを備えたドラム洗濯機を提供することを目的とする。
【課題を解決するための手段】
【０００９】
上記の目的を達成するために、本発明による上側開放型ドアを備えたドラム洗濯機は、前面に洗濯物を出し入れするための開口部が形成されたキャビネットと;該キャビネットの前面に位置して前記開口部を開閉するドアと;前記キャビネットとドアとの間に連結され、前記ドアの開放時にドアの前面が上向きになるように、ドアを前記キャビネットの上側に移動させながら開放し、かつ、前記キャビネットの前面に移動させながら閉鎖するドア開閉機構と；を含むことを特徴とする。
【発明の効果】
【００１０】
本発明による上側開放型ドアを備えたドラム洗濯機は、ドアがキャビネットにドア開閉機構で連結されるため、ドアをキャビネットの上部に移動して開閉するとともに、ドアの開放時、ドアを洗濯物の置き台として活用する構造となっており、狭い場所に洗濯機が設置された場合も、ドアを容易に開放し、かつ、洗濯物を便利に出し入れすることで、使用者の便宜性を向上できるという効果がある。
【００１１】
また、電動モータを用いてドアを自動に開閉する構造となっており、使用者の便宜性を一層向上できるという効果がある。
【発明を実施するための最良の形態】
【００１２】
以下、本発明の実施の形態を図面に基づいて説明する。
【００１３】
図３は、本発明の第１実施形態によるドラム洗濯機を示した概略側面図で、図４乃至図６は、本発明の第１実施形態によるドラム洗濯機におけるドアの開閉状態を示した図であって、図４は、ドアの閉鎖状態を示した斜視図、図５は、ドアの開放中の状態を示した斜視図、図６は、ドアの開放状態を示した斜視図である。
【００１４】
本発明の第１実施形態による上側開放型ドアを備えたドラム洗濯機は、図３乃至図６に示すように、洗濯機の外観をなすキャビネット１０を備えており、このキャビネット１０の前面には、洗濯物を投入または取り出すための開口部１１が形成される。
【００１５】
前記キャビネット１０の内部には、洗濯を行うための各装置が設置されるが、主要構成部材としては、図３に示すように、スプリング２１及びダンパー２２などでキャビネット１０内に支持されて洗濯水を収容するタブ２３と、このタブ２３の内側に位置され、回転しながら洗濯物の洗濯を行うドラム２５と、このドラム２５を回転するための駆動モータ２７と、が設置される。
【００１６】
また、前記キャビネット１０の開口部１１は、前記ドラム２５内に洗濯物を投入するか、前記ドラム２５から洗濯物を取り出せるように、前記タブ２３及びドラム２５の開口部と連通されており、前記キャビネット１０とタブ２３の開口部との間には、洗濯過程においてキャビネット１０への洗濯水などの流入を防止するガスケット２９が設置される。
【００１７】
前記キャビネット１０は、略六面体状からなることが好ましく、両側面及び後面をなすキャビネット本体１２と、底面をなすベース１３と、上面をなすトップカバー１４と、前面をなし、かつ、前記開口部１１が形成されたフロントカバー１５と、から構成される。
【００１８】
前記フロントカバー１５の上部には、洗濯機を操作する各種の操作スイッチ及び洗濯機の作動状態を知らせるディスプレイ装置などを備えたコントロールパネル１７が設置される。ここで、前記コントロールパネル１７は、洗濯機の設計条件によって、前記キャビネット１０の上面であるトップカバー１４側などにも設置可能である。
【００１９】
前記フロントカバー１５の下部には、前記キャビネット本体１２及びベース１３に結合される下部カバー１９が設置される。
【００２０】
特に、前記フロントカバー１５の前面には、前記開口部１１を開閉するためのドア３０が設置される。ここで、前記フロントカバー１５は、前記ドア３０の閉鎖時の外側面が前記コントロールパネル１７及び下部カバー１９の外側面と同一平面をなすように、前記コントロールパネル１７及び下部カバー１９よりも相対的にキャビネット１０の内側に位置した状態で、前記キャビネット本体１２、コントロールパネル１７及び下部カバー１９に結合される。
【００２１】
前記フロントカバー１５の中央部には、図５に示すように、前記開口部１１をなすリング状の開口枠１６が形成され、この開口枠１６には、前記ガスケット２９が連結される。
【００２２】
前記ドア３０は、前記フロントカバー１５の形状と同一に略四角構造となっている。前記ドア３０は、四角板体状に形成され、前記フロントカバー１５の前面形状と一致するドアフレーム３１と、このドアフレーム３１の中央部に設置され、前記キャビネット１０の開口部の内側に突出して前記ガスケット２９に密着される容器状のドア窓３５と、から構成される。
【００２３】
前記ドアフレーム３１は、その両側部がドアの側面を形成するように、Ｌ字状に折り曲げられて側面部３２を形成する。この両側の側面部３２には、後述するドア開閉機構としてのリンク開閉機構４０が連結される。
【００２４】
前記ドア窓３５は、前記ガスケット２９に接触するとともに、前記ドア３０の開放状態で洗濯物を収容するように容器状に形成される。前記ドア窓３５は、図５に示すように、前記ドアフレーム３１に装着されるリング状の窓枠３６と、洗濯物を収容可能な窪んだ容器状からなり、前記窓枠３６に結合される容器状窓３７と、から構成される。
【００２５】
ここで、前記窓枠３６は、金属材または合成樹脂材などからなり、前記容器状窓３７は、洗濯機の内部が見えるようにガラスなどの透明部材からなることが好ましい。
【００２６】
前記ドア３０には、ドアの開閉時に使用者が握る取っ手３９が設置されるが、この取っ手３９は、上側及び下側に二つの取っ手３９Ｕ，３９Ｄが設置されることが好ましい。
【００２７】
前記ドア３０は、開放して洗濯物を取り出すとき、洗濯物を一時保管できるようにドア３０の前面が上向きに開放される。したがって、前記ドア３０は、キャビネット１０の上側に移動しながら開放され、下側に移動しながら閉鎖される構造となっている。
【００２８】
上記のように前記ドア３０を開閉するために、前記ドア３０とキャビネット１０のトップカバー１４との間には、ドア３０の両側にドア開閉機構が設置されるが、このドア開閉機構は、複数個のリンクからなるリンク開閉機構４０により構成される。ここで、前記トップカバー１４の内側には、前記リンク開閉機構４０を連結するための長い棒状またはプレート状のリンクブラケット４４が設置される。
【００２９】
前記リンク開閉機構４０は、前記ドア３０の両側に二つのリンク部材４１，４５が４-リンク方式で連結される。
【００３０】
前記リンク開閉機構４０は、前記ドア３０の側面部３２及び前記リンクブラケット４４に連結される第１リンク部材４１及び第２リンク部材４５により構成される。ここで、前記第１リンク部材４１は、前記ドア３０の側面部３２の中間部及びリンクブラケット４４の前部に連結され、第２リンク部材４５は、前記第１リンク部材４１の連結部よりも相対的に高いドア３０の側面部３２の上部及びリンクブラケット４４の後部に連結される。
【００３１】
前記ドア３０の側面部３２には、前記第１リンク部材４１及び第２リンク部材４５の一端部に連結される連結軸４２，４６がそれぞれ設置され、前記キャビネット１０側のリンクブラケット４４には、前記第１リンク部材４１及び第２リンク部材４５の他端部に連結されるヒンジ軸４３，４７がそれぞれ設置される。
【００３２】
一方、前記キャビネット１０の前面及び上面をなすフロントカバー１５、コントロールパネル１７及びトップカバー１４には、図５に示すように、前記各リンク部材４１，４５の移動経路として、上下及び前後方向の長いスリット１５ｓ，１７ｓ，１４ｓがそれぞれ形成される。
【００３３】
前記スリット１５ｓ，１７ｓ，１４ｓには、異物質の流入を防止するとともに、前記各リンク部材４１，４５の移動を自由にする異物質流入防止部材５０が備わる。この異物質流入防止部材５０は、軟性のブラッシュや両側に分かれたゴム部材(図示せず)などからなる。
【００３４】
以下、上記のように構成される本発明の第１実施形態による上側開放型ドアを備えたドラム洗濯機の動作を説明する。
【００３５】
図４に示したドア３０の閉鎖状態で、ドアを開くために上側の取っ手３９Ｕを握ってドア３０を上側に押すと、図５に示すように、ドア３０は、キャビネット１０の前側に傾斜した状態で開放される。その後、ドア３０をキャビネット１０の後側に押すと、図６に示すように、ドア３０は、洗濯機の上側に略水平方向に位置した状態で開放される。
【００３６】
このような前記ドア３０の開放状態で、使用者は、キャビネット１０の開口部を通してドラム２５内に洗濯物を投入するとともに、ドラム２５から洗濯物を取り出せる。このとき、使用者は、必要によって、ドラム２５から取り出した洗濯物を容器構造のドア窓３５に保管できる。
【００３７】
一方、上記のようなドア３０の開放状態で洗濯物を取り出した後、ドア３０の下側の取っ手３９Ｄを握って前側及び下側に引くと、ドア３０は、前記各リンク部材４１，４５と一緒に上側から下側方向に移動しながら、図４に示すように、フロントカバー１５に密着して閉鎖される。
【００３８】
図７は、本発明の第２実施形態によるドラム洗濯機を示した概略側面図である。なお、本発明の第２実施形態を説明するにおいて、第１実施形態と同一か類似した構成部分には同一の図面符号を付し、それに対する詳細な説明を省略する。
【００３９】
本発明の第２実施形態によるドラム洗濯機は、図７に示すように、電動モータ７０などからなる自動開閉機構を用いてドア３０を自動に昇降させるように構成される。
【００４０】
すなわち、前記自動開閉機構は、キャビネット１０の前面をなすコントロールパネル１７に備わったドア自動開放ボタン６１及びドア自動閉鎖ボタン６２と、前記キャビネット１０の内部に備わり、前記電動モータ７０に電源を印加するとともに、前記二つのボタン６１，６２の作動によって電動モータ７０の作動を制御するモータ制御機構６５と、から構成される。
【００４１】
特に、前記電動モータ７０は、前記リンクブラケット４４に設置された状態で前記第１リンク部材４１に結合され、第１リンク部材４１の回転によってドア３０を上下に移動しながら開閉する構造となっている。ここで、前記電動モータ７０は、第２リンク部材に結合することもできる。
【００４２】
上述したように、本発明による第２実施形態のドラム洗濯機は、ドア自動開放ボタン６１及びドア自動閉鎖ボタン６２の操作によってドア３０を自動に開閉するとき、前記電動モータ７０の駆動力によって前記第１リンク部材４１が回転することで、ドア３０は、第２リンク部材４５と一緒に上下方向に移動して自動に開閉される。
【図面の簡単な説明】
【００４３】
【図１】従来のドラム洗濯機を示した斜視図である。
【図２】従来のドラム洗濯機におけるドアの開放状態を示した概略平面図である。
【図３】本発明の第１実施形態によるドラム洗濯機を示した概略側面図である。
【図４】本発明の第１実施形態によるドラム洗濯機におけるドアの閉鎖状態を示した斜視図である。
【図５】本発明の第１実施形態によるドラム洗濯機におけるドアの開放中の状態を示した斜視図である。
【図６】本発明の第１実施形態によるドラム洗濯機におけるドアの開放状態を示した斜視図である。
【図７】本発明の第２実施形態によるドラム洗濯機を示した概略側面図である。
【符号の説明】
【００４４】
１０    キャビネット
１１    開口部
１２    キャビネット本体
１３    ベース
１４    トップカバー
１４ｓ    スリット
１５    フロントカバー
１５ｓ    スリット
１７    コントロールパネル
１７ｓ    スリット
１９    下部カバー
２９    ガスケット
３０    ドア
３１    ドアフレーム
３２    側面部
３５    ドア窓
３６    窓枠
３７    容器状窓
３９，３９Ｕ，３９Ｄ    取っ手
４０    開閉リンク機構
４１    第１リンク部材
４２    連結軸
４３    ヒンジ軸
４４    リンクブラケット
４５    第２リンク部材
４６    連結軸
４７    ヒンジ軸
５０    異物質流入防止部材
６１    ドア自動開放ボタン
６２    ドア自動閉鎖ボタン
６５    モータ制御機構
７０    電動モータ
【図１】
2006122677.tif 000003
【図２】
2006122677.tif 000004
【図３】
2006122677.tif 000005
【図４】
2006122677.tif 000006
【図５】
2006122677.tif 000007
【図６】
2006122677.tif 000008
【図７】
2006122677.tif 000009